(57)【要約】【課題】リモコン装置以外でも操作が簡単に可能で、且つ、誤動作の少ない照明装置及び照明装置の制御方法を提供することを目的とする。【解決手段】ランプ１３を点灯制御する点灯部１２と、ランプ１３の点灯制御を指示する制御信号を無線送信するリモコン送信器２３と、リモコン送信器２３が送信した制御信号を受信し、受信した制御信号を点灯部１２に送るリモコン受信部２２と、を備え、点灯部１２が、リモコン送信器２３からの制御信号に応答して、ランプ１３を点灯制御する照明装置１１において、物体がこの器具本体１５に接触したことを検出して検出信号を出力する接触検出部２４をさらに備え、点灯部１２は、リモコン受信部２２からの制御信号と接触検出部２４からの検出信号とに応答して、ランプ１３を制御する、ことを特徴とする。【選択図】図１
2010050015.tif 000002
【特許請求の範囲】
【請求項１】
照明灯を点灯制御する点灯制御手段と、
前記照明灯の点灯制御を指示する制御信号を無線送信するリモコン装置と、
前記リモコン装置が送信した制御信号を受信し、受信した制御信号を前記点灯制御手段に送る受信手段と、
を備え、点灯制御手段が、前記リモコン装置からの制御信号に応答して、前記照明灯を点灯制御する照明装置において、
物体がこの照明機器に接触したことを検出して検出信号を出力する接触検出手段をさらに備え、
前記点灯制御手段は、前記受信手段からの制御信号と前記接触検出手段からの検出信号とに応答して、前記照明灯を制御する、
ことを特徴とする照明装置。
【請求項２】
前記接触検出手段は、物体が前記照明装置に接触した際に発生する所定の音を検出して、検出信号を出力する、
ことを特徴とする請求項１に記載の照明装置。
【請求項３】
前記接触検出手段は、物体が前記照明装置に接触した際に発生する所定の振動を検出することによって、検出信号を出力する、
ことを特徴とする請求項１又は２に記載の照明装置。
【請求項４】
照明灯を覆うグローブをさらに備え、
前記接触検出手段は、物体が前記グローブに接触したことを検出して、検出信号を出力する、
ことを特徴とする請求項１乃至３のいずれか１項に記載の照明装置。
【請求項５】
前記接触検出手段は、物体が前記グローブに接触する際に発生する音を検知することによって、物体が前記グローブに接触したことを検出する、
ことを特徴とする請求項４に記載の照明装置。
【請求項６】
前記接触検出手段は、物体のこの照明装置への接触の態様を判別し、判別した態様に対応する検出信号を前記点灯制御装置に供給し、
前記点灯制御装置は、前記接触の態様に応じた検出信号に従って、前記照明灯を点灯制御する、
ことを特徴とする請求項１乃至５のいずれか１項に記載の照明装置。
【請求項７】
前記点灯制御手段は、前記受信手段からの制御信号と前記接触検出手段からの検出信号とに応答して、前記照明灯を点灯状態、消灯状態、調光点灯状態のいずれかに制御する、
ことを特徴とする請求項１乃至６のいずれか１項に記載の照明装置。
【請求項８】
照明装置を制御する制御方法であって、
前記照明装置を制御するための遠隔操作するための制御信号を無線送信する遠隔操作信号送信ステップと、
物体が前記照明装置に接触したことを検出して検出信号を送信する検出ステップと、
前記遠隔操作信号送信ステップで送信された前記制御信号と前記検出ステップで送信された検出信号とに従って、前記照明装置を制御する制御ステップと、
を備えることを特徴とする照明装置の制御方法。
【発明の詳細な説明】
【技術分野】
【０００１】
本発明は、リモコン装置と機器自体への接触とにより制御される照明装置及び照明装置の制御方法に関する。
【背景技術】
【０００２】
紐スイッチが無く、リモコンで操作される照明装置が特許文献１に開示されている。照明装置は、リモコンが赤外線で送信する制御信号を受信し、受信した制御信号に従って、ランプの点灯状態、例えば、全点灯、調光点灯、消灯を制御する。
【０００３】
この種の照明装置は、リモコン装置の電池が切れた場合や、リモコン装置を見失った場合に、その制御が困難となる。このような場合に備えて、拍手音を検出し、拍手音に従って照明装置を制御することを可能とした技術が特許文献２に開示されている。
【０００４】
【特許文献１】特開２００５−０７１８７３号公報
【特許文献２】特開平０６−２５１８７７号公報
【発明の開示】
【発明が解決しようとする課題】
【０００５】
特許文献２に開示されている照明装置は、ユーザの日常の活動で発生する音と拍手との識別が困難であり、誤動作しやすいという問題がある。
【０００６】
また、壁面等に設置された電源スイッチを操作することにより照明装置をオン・オフすることも可能である。しかし、照明装置と同じ部屋にスイッチが無い場合や、部屋が暗い場合には、不便であり、事実上制御できない場合もある。
【０００７】
本発明は、上述した事情に鑑みてなされたものであり、リモコン装置以外でも操作が簡単に可能で、且つ、誤動作の少ない照明装置及び照明装置の制御方法を提供することを目的とする。
【課題を解決するための手段】
【０００８】
本発明の第１の観点に係る照明装置は、
照明灯を点灯制御する点灯制御手段と、
前記照明灯の点灯制御を指示する制御信号を無線送信するリモコン装置と、
前記リモコン装置が送信した制御信号を受信し、受信した制御信号を前記点灯制御手段に送る受信手段と、
を備え、点灯制御手段が、前記リモコン装置からの制御信号に応答して、前記照明灯を点灯制御する照明装置において、
物体がこの照明機器に接触したことを検出して検出信号を出力する接触検出手段をさらに備え、
前記点灯制御手段は、前記受信手段からの制御信号と前記接触検出手段からの検出信号とに応答して、前記照明灯を制御する、
ことを特徴とする。
【０００９】
本発明の第２の観点に係る照明装置制御方法は、
照明装置を制御する制御方法であって、
前記照明装置を制御するための遠隔操作するための制御信号を無線送信する遠隔操作信号送信ステップと、
物体が前記照明装置に接触したことを検出して検出信号を送信する検出ステップと、
前記遠隔操作信号送信ステップで送信された前記制御信号と前記検出ステップで送信された検出信号とに従って、前記照明装置を制御する制御ステップと、
を備えることを特徴とする。
【発明の効果】
【００１０】
本発明の照明装置及び照明装置の制御方法によれば、リモコン装置以外でも操作が簡単に可能で、且つ、誤動作の少ない照明装置及び照明装置の制御方法を提供することができる。
【発明を実施するための最良の形態】
【００１１】
以下、この発明の実施の形態に係る照明装置について、図面を参照しながら説明する。
【００１２】
（第１の実施形態）
本実施形態に係る照明装置１１は、図１に示すように、器具本体１５と、リモコン送信器２３とを備える。器具本体１５は、図２に示すように、居室の天井等に設置され、ほぼ全体がグローブ４１に覆われている。
【００１３】
図１に示す、器具本体１５は、点灯回路１２１と制御回路１２２とを備える点灯部１２と、２本の蛍光灯１３１と１３２とを備えるランプ１３と、リモコン受信部２２と、接触検出部２４とを備える。
【００１４】
また、器具本体１５は、電流遮断機３２と、スイッチ３３と、配線器具（ローゼット）３４とを介して、商用電源３１に接続している。
【００１５】
点灯回路１２１は、ノイズフィルタと、整流回路と、平滑化回路と、インバータ回路（電子安定器、スイッチ素子）等を備え、制御回路１２２の制御に従って、２本の蛍光灯１３１、１３２に電力を与え、全点灯（蛍光灯１３１と１３２を両方点灯）、調光点灯（蛍光灯１３１のみを点灯）、消灯等を制御する。
【００１６】
制御回路１２２は、点灯回路１２１を制御し、ランプ１３の点灯状態を制御する。制御回路１２２の詳細については後述する。
【００１７】
ランプ１３は、２本の環状の蛍光灯１３１と１３２とから構成され、図３に示すように、器具本体１５の下面に配置されたランプホルダ５１、５２により保持されている。
【００１８】
図１に示すリモコン受信部２２は、リモコン送信器２３から赤外線送信された制御信号を受信し、制御回路１２２に供給する。リモコン受信部２２は、図３に示すように、器具本体１５の下面に設置されている。
【００１９】
図１に示すリモコン送信器２３は、スイッチを備え、このスイッチが押下される度に、ランプ１３の点灯状態の切り替えを指示する制御信号を赤外で送信する。なお、リモコン送信器２３の電源は電池等で、器具本体１５の電源とは異なる。
【００２０】
接触検出部２４は、照明装置１１への物体の接触を検出し、検出信号を制御回路１２２に送信する装置であり、図４に示すように、マイクロフォン６１と、増幅器６２と、ノイズフィルタ６３と、二値化回路６４とから構成される。
【００２１】
マイクロフォン６１は、周囲の音を検出してアナログ電気信号に変換する。マイクロフォン６１は、図３に示すように、器具本体１５の下面の、グローブ４１の内面近傍に設置されている。
【００２２】
図４に示す増幅器６２は、マイクロフォン６１の出力信号を増幅する。
【００２３】
ノイズフィルタ６３は、増幅器６２により増幅された信号成分のうち、照明装置１１の器具本体１５や器具本体１５を覆うグローブ４１を手や棒で叩くときに発生する特有の周波数の信号成分のみを通過し、他の周波数成分、例えば、日常生活で発生する音、音声、拍手音等に起因する周波数成分を減衰する。
【００２４】
なお、グローブ４１は、図３に示すように、器具本体１５の下面に設置されたグローブ取り付け金具５４に取り付けられ、図２に示すように、照明装置１１の殆どの部分を覆って、露出しており、利用者は、天井に露出して配置されているグローブ４１を容易に手や物で叩くことができる。グローブ４１は、物が接触しても壊れにくいガラスや透光性樹脂等の素材から構成され、グローブ４１と器具本体１５との間の空間が特定の周波数の音が反響（共鳴）するように構成されている。
【００２５】
図４に示す二値化回路６４は、ノイズフィルタ６３から出力された信号の信号レベルと基準レベルとを比較し、出力信号の信号レベルが基準レベルよりも大きいときに、検出信号を制御回路１２２に出力する。
【００２６】
次に、制御回路１２２の詳細を説明する。制御回路１２２は、図５に示すように、プロセッサ１２２１とステータスメモリ１２２２と、シーケンスメモリ１２２３等を備える。
【００２７】
ステータスメモリ１２２２は、ランプ１３の点灯状態を示すステータス情報を記憶する。シーケンスメモリ１２２３は、ランプ１３をどのような手順で点灯・消灯するかを示すシーケンスを記憶する。ここでは、ランプ１３を、消灯→全点灯（蛍光灯１３１、１３２を共に点灯）→調光点灯（蛍光灯１３１を点灯、蛍光灯１３２を消灯）→消灯→全点灯→・・・と遷移させるシーケンスが記憶されている。
【００２８】
マイクロプロセッサ１２２１は、リモコン受信部２２から供給された制御信号と接触検出部２４から出力された検出信号とに応答して、ステータスメモリ１２２２に格納されている現在の点灯状態を判別し、シーケンスメモリ１２２３に格納されている点灯シーケンスに従って、次の、点灯状態を判別し、判別した次の点灯状態に遷移させるように、点灯回路１２１を制御し、ステータスメモリ１２２２のステータス情報を更新する。具体的には、マイクロプロセッサ１２２１は、制御信号又は検出信号が入力される度に、点灯回路１２１に、消灯→全点灯→調光点灯→消灯→全点灯→・・・と遷移させるための指示を与える。
【００２９】
次に、照明装置１１の動作を説明する。この照明装置１１の点灯状態を制御する方法としては、リモコン送信器２３を操作して制御する方法と、照明装置１１のグローブ４１を叩いて制御する方法と、スイッチ３３を操作して制御する方法とがある。
【００３０】
（リモコン送信器２３による制御）
まず、前提として、スイッチ３３がオンしており、照明装置１１に電源が供給されているものとする。
【００３１】
ユーザは、照明装置１１の点灯状態を変更したい場合、例えば、消灯から点灯又はその逆に制御したい場合、或いは、明るさを調節したい場合、リモコン送信器２３上のスイッチを押下する。  
【００３２】
スイッチの押下に応答して、リモコン送信器２３は、制御信号を赤外線で送信する。リモコン受信部２２は、送信された制御信号を受信し、制御回路１２２に供給する。
【００３３】
制御回路１２２のマイクロプロセッサ１２２１は、供給された制御信号に応答し、ステータスメモリ１２２２に格納されている現在の点灯状態を判別し、シーケンスメモリ１２２３に格納されている点灯シーケンスに従って、現在の点灯状態の次の点灯状態への切り替えを点灯回路１２１に指示すると共にステータスメモリ１２２２の内容を更新する。
【００３４】
例えば、マクロプロセッサ１２２１は、現在の点灯状態が消灯であれば、点灯シーケンスに従って、二灯の点灯を指示し、現在の点灯状態が二灯点灯であれば、一灯点灯を指示し、現在の点灯状態が一灯点灯であれば、消灯を指示する。点灯回路１２１は、制御回路１２２からの指示に応答して、蛍光灯１３１及び１３２に電力を供給して点灯・消灯する。
【００３５】
ユーザは、希望の点灯状態となるまで、リモコン送信器２３を操作し、制御回路１２２は、操作による制御信号を受信する度に上述の動作を繰り返す。
【００３６】
（グローブ４１を叩くことによる制御）
まず、前提として、スイッチ３３がオンしており、照明装置１１に電源が供給されているものとする。
【００３７】
ユーザは、照明装置１１の点灯状態を変更したい場合、グローブ４１を、手、棒等で軽く叩く。これにより、グローブ４１は、振動して音を発生する。この音は、グローブ４１の固有振動の周波数成分を含む。
【００３８】
この音は、マイクロフォン６１で電気信号に変換され、増幅器６２で増幅され、ノイズフィルタ６３に供給される。ノイズフィルタ６３にノイズ成分が吸収され、グローブ４１の固有信号に相当する成分がノイズフィルタ６３を通過し、二値化回路６４に供給される。二値化回路６４は、ノイズフィルタ６３を通過した信号の信号レベルと基準値（閾値）とを比較し、信号レベルが閾値よりも大きければ、検出信号を出力する。
ユーザが、照明装置１１を制御する意図で、グローブ４１を叩いた場合に、検出信号が発生するように、設定されている。
【００３９】
制御回路１２２のプロセッサ１２２１は、検出信号に応答し、ステータスメモリ１２２２に格納されている現在の点灯状態を判別し、シーケンスメモリ１２２３に格納されている点灯シーケンスに従って、現在の点灯状態の次の点灯状態への切り替えを点灯回路１２１に指示すると共にステータスメモリ１２２２の内容を更新する。
【００４０】
例えば、プロセッサ１２２１は、現在の点灯状態が消灯であれば、点灯シーケンスに従って、二灯の点灯を指示し、現在の点灯状態が二灯点灯であれば、一灯点灯を指示し、現在の点灯状態が一灯点灯であれば、消灯を指示する。点灯回路１２１は、制御回路１２２からの指示に応答して、蛍光灯１３１及び１３２に電力を供給して点灯・消灯する。
【００４１】
ユーザは、希望の点灯状態となるまで、リモコン送信器２３の操作又はグローブ４１を叩く動作、或いは、これらの組み合わせを繰り返し、制御回路１２２は、操作による制御信号又は検出信号を受信する度に上述の動作を繰り返す。
【００４２】
（スイッチ３３による制御）
照明装置１１と同じ部屋にスイッチ３３が無い場合や、部屋が暗い場合には、不便であり、事実上制御できない場合もあるが、ユーザは、照明装置１１を消灯から点灯又はその逆に制御したい場合、スイッチ３３を押下する。
【００４３】
まず、消灯時、スイッチ３３の押下により、電力が供給されると、制御回路１２２のプロセッサ１２２１は、ステータスメモリ１２２２に格納されている電力が遮断される前の点灯状態を判断し、それに従って、電力が遮断される前の点灯状態への切り替えを点灯回路１２１に指示する。
【００４４】
また、ユーザは、照明装置１１の点灯状態を変更したい場合、例えば、二灯点灯→一灯点灯→消灯→二灯点灯→・・・と遷移させたい場合、所定の時間内にスイッチ３３の押下を繰り返す。
【００４５】
所定の時間内（例えば０．２秒から２秒）のスイッチ３３の押下に応答して、制御回路１２２のプロセッサ１２２１は、ステータスメモリ１２２２に格納されている電力が遮断される前の点灯状態を判別し、シーケンスメモリ１２２３に格納されている点灯シーケンスに従って、スイッチ３３の押下度に、点灯状態を次の点灯状態へ切り替えを点灯回路１２１に指示すると共にステータスメモリ１２２２の内容を更新する。
【００４６】
例えば、プロセッサ１２２１は、電力が遮断される前の点灯状態が消灯であれば、点灯シーケンスに従って、二灯の点灯を指示し、電力が遮断される前の点灯状態が二灯点灯であれば、一灯点灯を指示し、電力が遮断される前の点灯状態が一灯点灯であれば、消灯を指示する。点灯回路１２１は、制御回路１２２からの指示に応答して、蛍光灯１３１及び１３２に電力を供給して点灯・消灯する。
【００４７】
ユーザは、希望の点灯状態となるまで、スイッチ３３を操作し、制御回路１２２は、操作による電力が供給される度に上述の動作を繰り返す。
【００４８】
以上説明したように本実施の形態に係る照明装置１１によれば、リモコン送信器２３やスイッチ３３による通常の操作でランプ１３の点灯状態を制御できるだけでなく、照明装置１１のグローブ４１を叩くことによって、ランプ１３の点灯状態を制御することができる。従って、リモコン送信器２３を見失ったり、リモコン送信器２３の電池が切れた場合でも、グローブ４１を叩くという簡易な方法で、照明装置１１を制御することができる。
【００４９】
また、ノイズフィルタ６３により、グローブ４１を叩いたときに発生する固有の周波数成分のみを、照明装置１１の制御に使用するので、生活音、拍手、会話等で照明装置１１が誤動作することが無い。また、器具本体１５が、通常は、天井等に設置されているので、人が誤ってグローブ４１に触れるといった虞が小さく、その意味でも、誤制御が少ない。
【００５０】
（第２の実施形態）
以上の説明では、グローブ４１が叩かれたときに発生する特定周波数の音を検出することにより照明装置１１の点灯状態を制御する例を説明したが、音に代えて、グローブ４１が叩かれたときに発生する振動を検出することにより照明装置１１の点灯状態を制御することも可能である。この場合、接触検出部２４は、図６に示すように、振動センサ７１、増幅器７２、ノイズフィルタ７３、二値化回路７４とから構成される。
【００５１】
振動センサ７１は、加速度センサ等から構成され、グローブ４１の内面等に装着され、グローブ４１が叩かれたときに発生するグローブ４１の振動を検出し、振動レベルを示す信号を出力する。
【００５２】
増幅器７２は、振動センサ７１の出力信号を増幅する。
【００５３】
ノイズフィルタ７３は、増幅器７２により増幅された信号成分のうち、照明装置１１の器具本体１５や器具本体１５を覆うグローブ４１を手や棒で叩くときに発生する特有の周波数の信号成分のみを通過し、他の周波数成分を減衰する。なお、照明装置１１が天井に設置されている場合のように、グローブ４１に物が当たることがほとんどない場合には、ノイズフィルタ７３を除去してもよい。
【００５４】
二値化回路７４は、ノイズフィルタ７３を通過した信号の信号レベルと基準レベルとを比較し、出力信号の信号レベルが基準レベルよりも大きいときに、検出信号を制御回路１２２に出力する。
【００５５】
この場合には、ユーザが、グローブ４１を叩くと、二値化回路７４から検出信号が出力され、プロセッサ１２２１が、この検出信号に従って、ランプ１３の点灯状態を制御する。従って、この構成によっても、グローブ４１を叩くという単純・簡単な操作で、照明装置１１を制御することができる。
【００５６】
（第３の実施形態）
グローブ４１等を叩いたことにより発生する音の検出と、振動の検出とを共に行い、振動が発生し且つ音が発生したときにのみ、物体がグローブ４１に接触したと判別して、照明装置１１に接触したことを検出してもよい。この場合、プロセッサ１２２１は、音センサの検出に起因する検出信号と、信号センサの検出に起因する検出信号との論理積をとり、両方が検出された場合にのみ、点灯回路１２１に点灯状態の変更を指示する。
【００５７】
また、誤検出を防止するため、グローブ４１に、例えば、図７に示すように、叩かれたときに固有振動数で共振する共振部８１を配置し、この共振部８１の共振周波数の振動及び／又はこの固有振動に起因する周波数の音を、ノイズフィルタ６３、７３で抽出して、ランプ１３の制御に使用してもよい。
【００５８】
以上の説明においては、グローブ４１が叩かれたことを検出したが、グローブ４１に限定されるものではなく、他の任意のパーツが叩かれたことを検出してもよい。また、「叩く」という表現を使用したが、センサでの検出が可能な振動や音を発生させる程度に人間が手や物で触れたり叩くこと全般を含む広い意味である。
【００５９】
（第４の実施形態）
上記実施の形態にいては、照明装置１１が手や物で叩かれた場合に、ランプ１３の点灯状態を変更した。誤って、グローブ４１に触れた場合等にも、ランプ１３が制御されてしまう。このような事態を防止するため、例えば、一定のパターンで照明装置１１が叩かれた場合にのみ、ランプ１３を制御するようにしてもよい。
【００６０】
例えば、所定時間（例えば、２秒）以内に、ｎ（２以上）回叩かれた場合にのみ、ランプ１３を制御するように構成しても良い。この場合、プロセッサ１２２１は、接触検出部２４から検出信号を受信すると、内部タイマを起動し、一定時間の計測を開始すると共に検出信号のカウント値を１とする。そして、検出信号を受信する度に、カウント値を＋１する。一定時間の計測が終了するまでに、カウント値がｎに達する、検出信号を有効として、点灯回路１２１に点灯状態の切り替えを指示する。
【００６１】
（第５の実施形態）
上記実施の形態においては、点灯回路１２１は、シーケンスメモリ１２２３に記憶されている点灯シーケンスに従って、順番に点灯状態を切り替えたが、例えば、リモコン送信器２３に、全点灯、調光点灯、消灯、のいずれかを指定するスイッチを配置し、操作されたスイッチに対応する制御信号を制御回路１２２に送信し、点灯状態を直接制御できるようにしてもよい。
【００６２】
この場合に、制御回路１２２は、例えば、接触検出部２４から、検出信号が供給された場合には、ｉ）シーケンスメモリ１２２３に格納されたシーケンスに従った次の点灯状態への遷移を点灯回路１２１に指示するようにしてもよく、或いは、ｉｉ）接触パターンを検出し、接触パターンに応じた点灯状態への遷移を点灯回路１２１に指示するように構成してもよい。この場合、例えば、検出信号が所定時間内に１回のみ出力された場合に全点灯、検出信号が所定時間内に２回出力された場合には調光点灯、検出信号が所定時間内に３回出力された場合には消灯というように制御すればよい。所定時間内に何回叩かれたかを検出する手法は、例えば、第４実施形態で説明した構成と同様でよい。
【００６３】
上記実施の形態においては、ランプ１３の点灯状態として、全点灯、調光点灯（一灯のみ点灯）、消灯の３つを例示したが、点灯状態の数等は任意である。例えば、全点灯、８０％調光点灯（２灯を共に点灯するが供給する電力を全点灯時の電力の８０％とする）、５０％調光点灯（２灯を共に点灯するが供給する電力を全点灯時の電力の５０％とする）、消灯、とする等、任意に設定可能である。
【００６４】
なお、上述した実施の形態では、グローブ４１は、物が接触しても壊れにくいガラスや透光性樹脂等の素材から構成されるとして説明したが、グローブ４１に蛍光剤を塗ったり、蛍光剤を含む素材で、構成してもよい。グローブ４１に蛍光剤を塗ることにより、部屋が暗い場合でも、グローブ４１を叩いて制御する場合、叩く場所が明確になり、操作がしやすく、別の場所を叩いて物を壊す等の恐れを防止することができる。
【００６５】
その他、本発明の好適な変形として、以下の構成が含まれる。
【００６６】
本発明の第１の観点に係る照明装置について、
好ましくは、前記接触検出手段は、物体が前記照明装置に接触した際に発生する所定の音を検出して、検出信号を出力する、
ことを特徴とする。
【００６７】
好ましくは、前記接触検出手段は、物体が前記照明装置に接触した際に発生する所定の振動を検出することによって、検出信号を出力する、
ことを特徴とする。
【００６８】
好ましくは、照明灯を覆うグローブをさらに備え、
前記接触検出手段は、物体が前記グローブに接触したことを検出して、検出信号を出力する、
ことを特徴とする。
【００６９】
好ましくは、前記接触検出手段は、前記物体が前記カバーに接触する際に発生する音を検知することによって、前記物体が前記カバーに接触したことを検出する、ことを特徴とする。
【００７０】
好ましくは、前記接触検出手段は、物体が前記グローブに接触する際に発生する音を検知することによって、物体が前記グローブに接触したことを検出する、
ことを特徴とする。
【００７１】
好ましくは、前記接触検出手段は、物体のこの照明装置への接触の態様を判別し、判別した態様に対応する検出信号を前記点灯制御装置に供給し、
前記点灯制御装置は、前記接触の態様に応じた検出信号に従って、前記照明灯を点灯制御する、
ことを特徴とする。
【００７２】
好ましくは、前記点灯制御手段は、前記受信手段からの制御信号と前記接触検出手段からの検出信号とに応答して、前記照明灯を点灯状態、消灯状態、調光点灯状態のいずれかに制御する、
ことを特徴とする。
【００７３】
その他、前記のハードウエア構成や制御方法の手順は一例であり、任意に変更及び修正が可能である。
【図面の簡単な説明】
【００７４】
【図１】本発明の第１の実施形態に係る照明装置の構成を示すブロック図である。
【図２】実施の形態に係る照明装置の外観を示す外観図である
【図３】照明装置の器具本体からグローブを取外した場合の外観を示す図である。
【図４】実施の形態に係る接触検出部の構成を示すブロック図である。
【図５】実施の形態に係る制御回路の構成を示すブロック図である。
【図６】第２の実施形態に係る接触検出部の構成を示すブロック図である。
【図７】第３の実施形に係る照明装置の断面図である。
【符号の説明】
【００７５】
１１    照明装置
１２    点灯部
１３    ランプ
１５    器具本体
２２    リモコン受信部
２３    リモコン送信器
２４    接触検出部
３１    商用電源
３２    電流遮断機
３３    スイッチ
３４    配線器具（ローゼット）
４１    グローブ
５１、５２    ランプホルダ
５４    グローブ取付金具
６１    マイクロフォン
６２、７２    増幅器
６３、７３    ノイズフィルタ
６４、７４    二値化回路
７１    振動センサ
８１    共振部
１２１    点灯回路
１２２    制御回路
１３１、１３２    蛍光灯
１２２１    プロセッサ
１２２２    ステータスメモリ
１２２３    シーケンスメモリ
【図１】
2010050015.tif 000003
【図２】
2010050015.tif 000004
【図３】
2010050015.tif 000005
【図４】
2010050015.tif 000006
【図５】
2010050015.tif 000007
【図６】
2010050015.tif 000008
【図７】
2010050015.tif 000009